(57)【特許請求の範囲】
【請求項１】
両端が円柱状の凸部からなる凸駒と、両端が円筒状の凹部からなる凹駒を複数個使用し、前記凸部と前記凹部をスライド係合させて成るバンドにおいて、
凸駒に、係合部材を固定し、前記凸駒と前記凹駒とを連結固定するための係合凹部を設け、前記凸駒により連結された前記凹駒と隣接凹駒の相対する部分で表面から凹部に向かって前記凸駒の係合凹部に前記係合部材を係合固定できるようにするための切欠部が設けられており、前記係合凹部の相対する内壁が、立上がり部から上方に向かって内側に傾斜する斜面となっていることを特徴とするバンド。
【請求項２】
請求項１記載のバンドの先カンをケースの側壁に形成されたカン足にスライド係合されてなるバンドとケースの連結構造において、
バンド短手方向に円柱状の凸部を有する前記カン足に、係合部材を固定し、前記カン足と前記バンドの先カン凹駒とを連結固定するための係合凹部を設け、前記バンドの先カン凹駒の表面から凹部に向かって前記カン足の係合凹部に前記係合部材を係合固定できるようにするための切欠部が設けられており、前記係合凹部の相対する内壁が、立上がり部から上方に向かって内側に傾斜する斜面となっていることを特徴とするバンドとケースの連結構造。
【請求項３】
請求項１記載のバンドの先カンをケースの側壁に形成されたカン足にスライド係合させてなるバンドとケースの連結構造において、
前記バンドの先カン凸駒に、係合部材を固定し、前記先カン凸駒とバンド短手方向に円筒状の凹部を有するカン足とを連結固定するための係合凹部を設け、前記カン足の表面から凹部に向かって前記先カン凸駒の係合凹部に前記係合部材を係合固定できるようにするための切欠部が設けられており、前記係合凹部の相対する内壁が、立上がり部から上方に向かって内側に傾斜する斜面となっていることを特徴とするバンドとケースの連結構造。
【請求項４】
前記係合凹部の内壁に係合する前記係合部材の相対する外壁の少なくとも一部が、立上がり部から上方に向かって内側に傾斜する斜面となっていることを特徴とする請求項１から請求項３のいずれかに記載のバンドとこのバンドとケースの連結構造。
【請求項５】
前記係合部材が、表面に仕上げ加工が施され、装飾部材としての機能を持っていることを特徴とする請求項１から請求項４のいずれかに記載のバンドとこのバンドとケースの連結構造。
【請求項６】
両端が円柱状の凸部からなる凸駒と、両端が円筒状の凹部からなる凹駒を複数個使用し、前記凸部と前記凹部をスライド係合させて成るバンドにおいて、
凸駒に、係合部材を固定し、前記凸駒と前記凹駒とを連結固定するための係合凹部を設け、前記凸駒により連結された前記凹駒と隣接凹駒の相対する部分で表面から凹部に向かって前記凸駒の係合凹部に前記係合部材を係合固定できるようにするための切欠部が設けられており、前記凹駒の切欠部と前記凸駒の係合凹部に固定した係合部材との間に隙間を設け、前記係合部材を前記係合凹部より係合解除できるようにし、前記凸部と前記凹部とのスライド係合の解除をできるようにしたことを特徴とするバンド。
【請求項７】
請求項１に記載のバンドの先カンをケースの側壁に形成されたカン足にスライド係合されてなるバンドとケースの連結構造において、
バンド短手方向に円柱状の凸部を有する前記カン足に、係合部材を固定し、前記カン足と前記バンドの先カン凹駒とを連結固定するための係合凹部を設け、前記バンドの先カン凹駒の表面から凹部に向かって前記カン足の係合凹部に前記係合部材を係合固定できるようにするための切欠部が設けられており、前記カン足の係合凹部と該係合凹部に固定した前記係合部材との間に隙間を設け、前記係合部材を前記係合凹部より係合解除できるようにし、前記カン足と前記バンドの先力ン凹駒とのスライド係合の解除をできるようにしたことを特徴とするバンドとケースの連結構造。
【請求項８】
請求項１に記載のバンドの先カンをケースの側壁に形成されたカン足にスライド係合させてなるバンドとケースの連結構造において、
前記バンドの先カン凸駒に、係合部材を固定し、前記先カン凸駒とバンド短手方向に円筒状の凹部を有するカン足とを連結固定するための係合凹部を設け、前記カン足の表面から凹部に向かって前記先カン凸駒の係合凹部に前記係合部材を係合固定できるようにするための切欠部が設けられており、前記バンドの凹駒と前記カン足の相対する部分に隙間を設け、前記係合部材を前記係合凹部より係合解除できるようにし、前記カン足と前記バンドの先カン凸駒とのスライド係合の解除をできるようにしたことを特徴とするバンドとケースの連結構造。
【請求項９】
両端が円柱状の凸部からなる凸駒と、両端が円筒状の凹部からなる凹駒を複数個使用し、前記凸部と前記凹部をスライド係合させて成るバンドにおいて、
前記凸駒の端部に外駒を形成した外凸駒に、バンド長手方向にバネ棒の一端を係合固定し、前記外凸駒と前記凹駒との連結固定するための係合段部を設け、前記凹駒の凹部からバンド長手方向に形成された複数の貫通孔に前記バネ棒を挿入し、前記凹駒の両端より前記外凸駒の凸部をスライド係合させ前記バネ棒の一端を前記係合段部に係合させたことを特徴とするバンド。
【請求項１０】
請求項９記載のバンドの先カンをケースの側壁に形成されたカン足にスライド係合させてなるバンドとケースの連結構造において、
前記バンドの先カン外凸駒に、バンド長手方向にバネ棒の一端を係合固定し、前記先カン外凸駒とバンド短手方向に円筒状の凹部を有するカン足とを連結固定するための係合段部を設け、前記カン足の凹部からバンド長手方向に形成された複数のめくら孔に前記バネ棒を挿入し、前記先カン外凸駒に前記カン足をスライド係合させ前記バネ棒の一端を前記係合段部に係合させたことを特徴とするバンドとケースの連結構造。
【請求項１１】
前記凹駒の裏面に、凹部及び貫通孔に連通する切欠部が設けられ、該切欠部よりバネ棒を操作することにより前記凸部と前記凹部とのスライド係合の解除をできるようにしたことを特徴とする請求項９に記載のバンド。
【請求項１２】
前記カン足の裏面に、凹部及びめくら孔に連通する切欠部が設けられ、該切欠部よりバネ棒を操作することにより前記カン足と前記バンドの先カン外凸駒とのスライド係合の解除をできるようにしたことを特徴とする請求項１０に記載のバンドとケースの連結構造。
【発明の詳細な説明】
【０００１】
【発明の属する技術分野】
本発明は、凸駒と凹駒とをスライド係合させて成るバンドとこのバンドとケースの連結構造に関するものである。
【０００２】
【従来の技術】
従来、両端が円柱状の凸部からなる凸駒と、両端が円筒状の凹部からなる凹駒を複数個使用し、前記凸部と前記凹部とをスライド係合させて成るバンドの駒連結構造として、公開実用新案公報（実開平０１−１１９５１１号）に開示されたものがある。以下、図２８を用いて簡単に説明する。図２８（ａ）は、このバンドの駒連結構造を示す斜視図、図２８（ｂ）は、図２８（ａ）におけるＡ-Ａ断面図である。図２８に示すように凸駒２のバンド短手方向の中央に複数の穴２ｂが設けられ、この凸駒２に複数の凹駒１をスライド係合させた後、前記凹駒１の裏面のカシメ部３より凹部１ａ方向に力を加え、前記凸駒２の穴２ｂにカシメ固定することで連結がなされている。
【０００３】
又、その他の連結構造としては、図２９に示すように、凹駒４の裏面より凹部方向にネジ穴４ａが設けられ、このネジ穴４ａにネジ５を螺合させ、ネジ５の先端を凸駒２の穴２ｂ内に係合することで連結がなされているものもある。
【０００４】
【発明が解決しようとする課題】
しかしながら、従来のバンドの連結構造において、凸駒と凹駒とをカシメ固定している場合には、以下のような問題があった。
（１）凸駒に設けた穴位置を凹駒から見極めることが難しく、凹駒を完全にカシメ固定することが出来ないものが発生し、機能品質に問題があった。
（２）凸駒２に設けた穴２ｂの位置を凹駒１から見つけるため、組立作業性が悪く、量産性に間題があった。
（３）凹駒１の裏面のカシメ部３に凹みができ、デザイン的にも悪く、外観品質の悪いものとなっていた。
【０００５】
又、その他の連結構造の例で、凸駒と凹駒とをネジ固定している場合には、以下のような問題があった。
（１）凹駒４の裏面にネジ穴４ａ、又はネジ５が見え、デザイン的にも悪く、外観品質の悪いものとなっていた。
（２）ネジ５を数多く使用するため、コストが高くなるという問題があった。
【０００６】
本発明の目的は、上記従来の間題点を解決し、外観品質が良好で、バンド組立作業性に優れ、且つ、凸駒に凹駒を碓実に連結固定することのできるバンドとそのバンドとケースの連結構造を提供するものである。
【０００７】
【課題を解決するための手段】
前述した目的を達成するために、本発明のバンドは、両端が円柱状の凸部からなる凸駒と、両端が円筒状の凹部からなる凹駒を複数個使用し、前記凸部と前記凹部をスライド係合させて成るバンドにおいて、凸駒に、係合部材を固定し、前記凸駒と前記凹駒とを連結固定するための係合凹部を設け、前記凸駒により連結された前記凹駒と隣接凹駒の相対する部分で表面から凹部に向かって前記凸駒の係合凹部に前記係合部材を係合固定できるようにするための切欠部が設けられており、前記係合凹部の相対する内壁が、立上がり部から上方に向かって内側に傾斜する斜面となっていることを特徴とする。
【０００８】
また、本発明のバンドとケースの連結構造は、請求項１記載のバンドの先カンをケースの側壁に形成されたカン足にスライド係合されてなるバンドとケースの連結構造において、バンド短手方向に円柱状の凸部を有する前記カン足に、係合部材を固定し、前記カン足と前記バンドの先カン凹駒とを連結固定するための係合凹部を設け、前記バンドの先カン凹駒の表面から凹部に向かって前記カン足の係合凹部に前記係合部材を係合固定できるようにするための切欠部が設けられており、前記係合凹部の相対する内壁が、立上がり部から上方に向かって内側に傾斜する斜面となっていることを特徴とする。
【０００９】
また、本発明のバンドとケースの連結構造は、請求項１記載のバンドの先カンをケースの側壁に形成されたカン足にスライド係合させてなるバンドとケースの連結構造において、前記バンドの先カン凸駒に、係合部材を固定し、前記先カン凸駒とバンド短手方向に円筒状の凹部を有するカン足とを連結固定するための係合凹部を設け、前記カン足の表面から凹部に向かって前記先カン凸駒の係合凹部に前記係合部材を係合固定できるようにするための切欠部が設けられており、前記係合凹部の相対する内壁が、立上がり部から上方に向かって内側に傾斜する斜面となっていることを特徴とする。
【００１１】
また、本発明のバンドとこのバンドとケースの連結構造は、前記係合凹部の内壁に係合する前記係合部材の相対する外壁の少なくとも一部が、立上がり部から上方に向かって内側に傾斜する斜面となっていることを特徴とする。
【００１３】
また、本発明のバンドとこのバンドとケースの連結構造は、前記係合部材が、表面に仕上げ加工が施され、装飾部材としての機能を持っていることを特徴とする。
【００１４】
また、本発明のバンドは、両端が円柱状の凸部からなる凸駒と、両端が円筒状の凹部からなる凹駒を複数個使用し、前記凸部と前記凹部をスライド係合させて成るバンドにおいて、凸駒に、係合部材を固定し、前記凸駒と前記凹駒とを連結固定するための係合凹部を設け、前記凸駒により連結された前記凹駒と隣接凹駒の相対する部分で表面から凹部に向かって前記凸駒の係合凹部に前記係合部材を係合固定できるようにするための切欠部が設けられており、前記凹駒の切欠部と前記凸駒の係合凹部に固定した係合部材との間に隙間を設け、前記係合部材を前記係合凹部より係合解除できるようにし、前記凸部と前記凹部とのスライド係合の解除をできるようにしたことを特徴とする。
【００１５】
また、本発明のバンドとケースの連結構造は、請求項１に記載のバンドの先カンをケースの側壁に形成されたカン足にスライド係合されてなるバンドとケースの連結構造において、バンド短手方向に円柱状の凸部を有する前記カン足に、係合部材を固定し、前記カン足と前記バンドの先カン凹駒とを連結固定するための係合凹部を設け、前記バンドの先カン凹駒の表面から凹部に向かって前記カン足の係合凹部に前記係合部材を係合固定できるようにするための切欠部が設けられており、前記カン足の係合凹部と該係合凹部に固定した前記係合部材との間に隙間を設け、前記係合部材を前記係合凹部より係合解除できるようにし、前記カン足と前記バンドの先力ン凹駒とのスライド係合の解除をできるようにしたことを特徴とする。
【００１６】
また、本発明のバンドとケースの連結構造は、請求項１に記載のバンドの先カンをケースの側壁に形成されたカン足にスライド係合させてなるバンドとケースの連結構造において、前記バンドの先カン凸駒に、係合部材を固定し、前記先カン凸駒とバンド短手方向に円筒状の凹部を有するカン足とを連結固定するための係合凹部を設け、前記カン足の表面から凹部に向かって前記先カン凸駒の係合凹部に前記係合部材を係合固定できるようにするための切欠部が設けられており、前記バンドの凹駒と前記カン足の相対する部分に隙間を設け、前記係合部材を前記係合凹部より係合解除できるようにし、前記カン足と前記バンドの先カン凸駒とのスライド係合の解除をできるようにしたことを特徴とする。
【００２０】
また、本発明のバンドは、両端が円柱状の凸部からなる凸駒と、両端が円筒状の凹部からなる凹駒を複数個使用し、前記凸部と前記凹部をスライド係合させて成るバンドにおいて、前記凸駒の端部に外駒を形成した外凸駒に、バンド長手方向にバネ棒の一端を係合固定し、前記外凸駒と前記凹駒との連結固定するための係合段部を設け、前記凹駒の凹部からバンド長手方向に形成された複数の貫通孔に前記バネ棒を挿入し、前記凹駒の両端より前記外凸駒の凸部をスライド係合させ前記バネ棒の一端を前記係合段部に係合させたことを特徴とする。
【００２１】
また、本発明のバンドとケースの連結構造は、請求項１０に記載のバンドの先カンをケースの側壁に形成されたカン足にスライド係合させてなるバンドとケースの連結構造において、前記バンドの先カン外凸駒に、バンド長手方向にバネ棒の一端を係合固定し、前記先カン外凸駒とバンド短手方向に円筒状の凹部を有するカン足とを連結固定するための係合段部を設け、前記カン足の凹部からバンド長手方向に形成された複数のめくら孔に前記バネ棒を挿入し、前記先カン外凸駒に前記カン足をスライド係合させ前記バネ棒の一端を前記係合段部に係合させたことを特徴とする。
【００２２】
また、本発明のバンドは、前記凹駒の裏面に、凹部及び貫通孔に連通する切欠部が設けられ、該切欠部よりバネ棒を操作することにより前記凸部と前記凹部とのスライド係合の解除をできるようにしたことを特徴とする。
【００２５】
また、本発明のバンドとケースの連結構造は、前記カン足の裏面に、凹部及びめくら孔に連通する切欠部が設けられ、該切欠部よりバネ棒を操作することにより前記カン足と前記バンドの先カン外凸駒とのスライド係合の解除をできるようにしたことを特徴とする。
【００２６】
【発明の実施の形態】
（第１の実施の形態）
以下、本発明の第１の実施形態を図１から図６を用いて詳細に説明する。図１は、第１の実施形態におけるバンドの連結構造を示す分解斜視図である。本実施形態におけるバンドの連結構造は、両端が円筒状の凹部１２ａ、１２ｂからなりバンド長手方向に切欠部１４ａ、１４ｂを有するる凹駒１２、１２Ａと、両端が円柱状の凸部１１ａ、１１ｂからなり係合凹部１５を有する凸駒１１とをスライド係合させた後、係合部材１３を前記切欠部１４ａ、１４ｂに挿入し且つ前記係合凹部１５に係合固定することを特徴とする。以下、図面に基づいて詳述する。
【００２７】
図１に示すように、本実施形態におけるバンドの連結構造は、２個の凹駒１２、１２Ａを隣接配置し、凹駒１２の凹部１２ａ及び凹駒１２Ａの凹部１２ｂと、前記凸駒１１の凸部１１ａ、１１ｂとを矢印Ａの方向にスライド係合させることによって前記２個の凹駒１２、１２Ａを連結する。前記凸駒１１には前記係合部材１３を固定するための係合凹部１５が設けられている。この係合凹部１５は、前記凹駒の凹部１２ａ、１２ｂに係合された状態において、前記凹駒１２の裏面１２ｃ側となるように形成されている。
【００２８】
又、前記連結された前記凹駒１２と隣接凹駒１２Ａとの裏面側で且つ相対する部分に切欠部１４ａ、１４ｂが設けられている。この切欠部１４ａ、１４ｂに前記係合部材１３を挿入し、凹駒１２の裏面１２ｃから凹部１２ａ、１２ｂに向かって（矢印Ｂの方向）前記係合部材１３を押圧して、前記凸駒１１の係合凹部１５に前記係合部材１３を係合固定する。これによって、２個の凹駒１２、１２Ａと凸駒１１が連結固定される。同様に複数の凸駒と凹駒とが連結され一連のバンドが構成される。
【００２９】
図２は連結された状態のバンドの一部を示す図で、図２（ａ）はバンドの斜視図、図２（ｂ）は、図２（ａ）におけるＡ−Ａ断面図である。図２に示すように前記凸駒１１の係合凹部１５には、バンドの短手方向の両内壁に斜面１５ａ、１５ｂが形成されている。一方、係合部材１３のバンドの短手方向の両外壁には斜面１３ａ、１３ｂが形成されている。前記係合部材１３の両外壁の斜面１３ａ、１３ｂと、前記凸駒１１における係合凹部１５の両内壁の斜面１５ａ、１５ｂとが、所謂喰付き構造となるように各部の寸法が設定されている。このため前記係合部材１３を前記凸駒１１の係合凹部１５に押圧、係合固定させることにより、凸駒１１と凹駒１２、１２Ａとが連結される。
【００３０】
図３は同じく連結された状態のバンドの一部を示す図で、図３（ａ）は、バンドの平面図、図３（ｂ）は、図２（ａ）におけるＢ−Ｂ断面図である。図３に示すように、前記凸駒の係合凹部１５と前記凹駒１２、１２Ａの切欠部１４ａ、１４ｂは、係合された状態において、その平面上の位置が重畳するようにそれぞれ形成されている。又、前記凹駒１２と隣接凹駒１２Ａとの相対する部分に設ける前記切欠部１４ａ、１４ｂと、前記凸駒１１の係合凹部１５に固定した係合部材１３とのバンド短手方向の間に隙間Ｗが設けられており、前記係合部材１３を前記凸駒１１の係合凹部１５より係合解除し、前記凸駒１１の凸部１１ａ、１１ｂと前記凹駒１２及び隣接凹駒１２Ａの凹部１２ａ、１２ｂとのスライド係合の解除ができるように構成されている。
【００３１】
例えば、前記隙間Ｗにマイナスドライバーのような簡単な工具を差し込み前記係合部材１３に押し当てて、前記係合部材１３をバンド短手方向の外側から内側に向かって押圧しながら前記凹駒１２の裏面１２ｃの方向に、押し上げることにより、前記係合部材１３と凸駒１１の係合凹部１５との喰付きを解除することが出来る。その後、前記凹駒１２、１２Ａの凹部１２ａ、１２ｂから凸駒１１の凸部１１ａ、１１ｂをスライドさせ抜き取ることにより、前記連結されているバンドの駒の係合を解除することが出来る。
【００３２】
次に、各構成要素について説明する。図４は凹駒を示し、図４（ａ）は凹駒の斜視図、図４（ｂ）は、図４（ａ）におけるＣ−Ｃ断面図である。図４に示すように、凹駒１２は金属からなりバンド長手方向の両端に円筒状の凹部１２ａ、１２ｂが形成されている。又、前記凹駒１２のバンド長手方向の両端で且つ裏面１２ｃ側に切欠部１４ａ、１４ｂが設けられている。この切欠部１４ａ、１４ｂは、凹駒１２の裏面１２ｃから凹部１２ａ、１２ｂに向かって前記凸駒１１の係合凹部１５に前記係合部材１３を係合固定できるようにするために設けられている。
【００３３】
図５は前記凸駒を示す図で、図５（ａ）は凸駒の斜視図、図５（ｂ）は、図５（ａ）におけるＤ−Ｄ断面図、図５（ｃ）は、図５（ｂ）におけるＡ部の部分拡大断面図である。図５に示すように、凸駒１１は金属からなりバンド長手方向の両端に円柱状凸部１１ａ、１１ｂが形成されている。又、前記凸駒１１には前記係合部材１３を固定するための係合凹部１５が設けられている。更に、前記係合凹部１５には、バンドの短手方向の相対する両内壁に立上がり部から上方に向かって内側に傾斜する斜面１５ａ、１５ｂが形成されている。
【００３４】
図６は係合部材を示し、図６（ａ）は係合部材の平面図、図６（ｂ）は側面図、図６（ｃ）は正面図である。図６に示すように係合部材１３は金属からなり平面形状が四辺形で板状の形状をなしている。又、バンド短手方向の相対する外壁の一部に立上がり部から上方に向かって内側に傾斜する斜面１３ａ、１３ｂが形成されている。又、前記外壁は立上がり部から上面まで全て斜面となっていても差し支えない。前記斜面１３ａ、１３ｂは、前記凸駒１１の係合凹部１５の内壁に形成されている斜面１５ａ、１５ｂに係合する部分である。この係合部材１３のバンド短手方向の相対する外壁間の長さｄは、前記凸駒１１の係合凹部１５の内壁間の長さｃ（図５に示す）よりも僅かに大きく設定されており、その寸法値は凸駒１１の係合凹部１５に前記係合部材１３が係合固定されるように設定されている。又、係合部材１３のバンド長手方向の幅ｅは、バンドの外観を考慮して前記凹駒１２の切欠部１４ａ、１４の奥行きｂ（図４に示す）より大きく設定されている。
【００３５】
以上のように本実施形態におけるバンドの連結構造においては前記係合部材と前記係合凹部と前記切欠部の外形形状の関係が、
係合部材＞係合凹部＞切欠部
の条件を満たすように各部の寸法が設定されている。
【００３６】
以上のように、本実施形態におけるバンドによれば、凹駒１２、１２Ａの凹部１２ａ、１２ｂと、凸駒１１の凸部１１ａ、１１ｂとをスライド係合させた後、係合部材１３を前記凹駒の切欠部１４ａ、１４ｂに挿入すると共に前記凸駒の係合凹部１５に係合固定することにより、凸駒１１と凹駒１２、１２Ａとを簡単に且つ、碓実に連結固定することができる。又、前記切欠部１４ａ、１４ｂと前記係合部材１３との間に設ける隙間Ｗからマイナスドライバーのような簡単な工具を用いて前記係合部材１３を押し上げることにより、係合部材１３と凸駒の係合凹部１４ａ、１４ｂとの係合を簡単に解除することが出来る。この結果、外観品質が良好で、バンド組立作業性に優れ、且つ、凸駒に凹駒を碓実に連結固定することのできるバンドを提供することが出来る。
【００３７】
（第２の実施の形態）
以下、本発明の第２の実施形態を図７に基づいて説明する。図７は、本実施形態における連結された状態のバンドを示す斜視図である。図７に示すように、本実施形態におけるバンドの連結構造は、係合部材がバンドの表面側に配置されており且つ係合部材の表面に模様が形成されている点が第１の実施形態と異なっており、その他は、第１の実施形態と同様である。
【００３８】
図７に示すように、本実施形態におけるバンドの連結構造は、２個の凹駒２２、２２Ａを隣接配置し、凹駒２２の凹部２２ａ及び凹駒２２Ａの凹部２２ｂと、前記凸駒２１の凸部２１ａ、２１ｂとをスライド係合させることによって前記２個の凹駒２２、２２Ａを連結する。前記凸駒２１は、第１の実施形態と同様に前記係合部材２３を固定するための係合凹部（図示せず）が設けられているが、前記凹駒の凹部２２ａ、２２ｂに係合された状態において、バンドの表側、即ち前記凹駒２２の表面２２ｃ側となるように形成されている。
【００３９】
又、前記連結された前記凹駒２２と隣接凹駒２２Ａとの表面側で且つ相対する部分に切欠部２４ａ、２４ｂが設けられている。この切欠部２４ａ、２４ｂに前記係合部材２３を挿入すると共に、前記凹駒２２の表面２２ｃ側から凹部２２ａ、２２ｂに向かって前記係合部材２３を押圧して、前記凸駒２１の係合凹部（図示せず）に前記係合部材２３を係合固定する。これによって、凹駒２２、２２Ａと凸駒２１が連結固定される。又、前記係合部材２３の表面は仕上げ加工が施され、装飾部材としての模様が形成されている。尚、その他の連結構造の詳細については、第１の実施形態と同様であるため説明を省略する。
【００４０】
以上のように本実施形態におけるバンドによれば係合部材２３がバンドの表側に設けられており、バンドのデザインに合わせて様々の仕上げ加工や模様を係合部材２３の表面に形成することが出来、バンドのデザインバリエーションを広げることが可能となる。又、本実施形態においても第１実施形態と同様の効果を得ることが出来る。
【００４１】
（第３の実施の形態）
以下、本発明の第３の実施形態を図８、図９、図１０に基づいて説明する。図８は、第３の実施形態におけるバンドとケースの連結構造を示す分解斜視図である。図８に示すように、本実施形態におけるバンドとケースの連結構造は、第１の実施形態におけるバンドの先カン凹駒１８をケース１０の側壁に形成されたカン足１６にスライド係合させ、係合部材１３を前記カン足の係合凹部１７に係合固定することを特徴とする（尚、前記先カン凹駒１８は、第１の実施形態におけるバンドの凹駒と同様である）。以下、図面に基づいて説明する。
【００４２】
図８に示すように、バンドの先カン凹駒１８の凹部１８ａと、前記ケース１０におけるカン足１６の凸部１６ａとをスライド係合させることによって前記先カン凹駒１８とカン足１６とを連結する。前記カン足１６には前記係合部材１３を固定するための係合凹部１７が設けられている。この係合凹部１７は、ケース１０の下面側に形成されている。
又、前記バンドの先カン凹駒１８の裏面から凹部１８ａに向かって前記カン足１６の係合凹部１７に前記係合部材１３を係合固定できるようにするための切欠部１４ａが設けられている。この切欠部１４ａ及び前記カン足の係合凹部１７に前記係合部材１３を挿入し、前記先カン凹駒１８の裏面から凹部１８ａに向かって前記係合部材１３を押圧して、前記カン足１６の係合凹部１７に前記係合部材１３を係合固定する。これによって、バンドの先カン凹駒１８とケースのカン足１６とが連結固定される。
【００４３】
図９は連結された状態のバンドとケースの連結構造を示す図で、図９（ａ）はバンドとケースの斜視図、図９（ｂ）は、図９（ａ）におけるＥ−Ｅ断面図である。図９に示すように前記カン足１６の係合凹部１７には、バンドの短手方向の両内壁に斜面１７ａ、１７ｂが形成されている。前記係合部材１３の両外壁の斜面１３ａ、１３ｂと、前記カン足１６における係合凹部１７の両内壁の斜面１７ａ、１７ｂとが、所謂喰付き構造となるように各部の寸法が設定されている。このため前記係合部材１３を前記カン足１６の係合凹部１７に押圧、係合固定させることにより、カン足１６とバンドの先カン凹駒１８とが連結固定される。
【００４４】
又、前記カン足の係合凹部１７と、該係合凹部１７に固定した前記係合部材１３との間には隙間ｔが設けられており、第１実施形態と同様にマイナスドライバーのような簡単な工具を用いて前記係合部材１３を前記係合凹部１７より係合解除できるようにし、前記カン足１６と前記バンドの先力ン凹駒１８とのスライド係合の解除ができるように構成されている。
【００４５】
尚、本実施形態の他の例を図１０に示す。本例のバンドとケースの連結構造は、第１の実施形態におけるバンドの先カン凸駒１９の凸部１９ａをケース２０の側壁に形成されたカン足２６の円筒状の凹部２６ａにスライド係合させ、係合部材１３を前記カン足２６に設ける切欠部２７及びバンドの凹駒１２Ａの切欠部１４ａに挿入すると共にケース下面から凹部２６ａの方向に押圧し前記先カン凸駒１９の係合凹部１５に係合固定するものである。又、第１の実施形態と同様に前記ケースのカン足２６と隣接するバンドの凹駒１２Ａとの相対する部分に前記カン足２６の切欠部２７及び前記凹駒１２Ａの切欠部１４ａと前記先カン凸駒１９の係合凹部１５に係合固定した係合部材１３とのバンド短手方向の間に隙間が設けられており、前記係合部材１３を前記先カン凸駒１９の係合凹部１５より係合解除し、前記先カン凸駒１９の凸部１９ａと前記カン足２６の凹部２６ａとのスライド係合の解除ができるようにし、ケースのカン足２６と前記バンドの先カン凸駒１９とのスライド係合の解除ができるように構成されている。
【００４６】
以上のように、本実施形態におけるバンドとケースの連結構造よれば、ケースのカン足とバンドの先カンとを簡単に且つ、碓実に連結固定することのできる。又、連結の解除も第１の実施形態と同様簡単に出来る。この結果、外観品質が良好で、ケースとバンドの取付作業性に優れ、且つ、ケースとバンドとを碓実に連結固定することのできるバンドとケースの連結構造を提供することが出来る。
【００４７】
（第４の実施の形態）
以下、本発明の第４の実施形態を図１１から図１６を用いて説明する。図１１は、第４の実施形態におけるバンドの連結構造を示す分解斜視図である。本実施形態におけるバンドは、両端が円柱状の凸部３１ａ、３１ｂからなる凸駒３１と、両端が円筒状の凹部３２ａ、３２ｂからなる凹駒３２と、バネ棒３５とを複数個使用する。又、前記凸駒３１には、バンド長手力向に、バネ棒３５の一端を係合固定し、前記凸駒３１と凹駒３２との連結固定するための係合段部３３ａ、３３ｂが設けられており、前記凹駒３２には、凹部３２ｂからバンド長手方向に貫通孔３６が形成されている。
【００４８】
又、本実施形態におけるバンドの連結構造は、前記凹駒３２の貫通孔３６に前記バネ棒３５を挿入し、前記凹駒３２の凹部３２ａ、３２ｂに凸駒３１Ａの凸部３１ｂ、前記凸駒３１の凸部３１ａをそれぞれスライド係合させ前記バネ棒３５の一端３５ａ、他端３５ｂを前記凸駒３１Ａの係合段部３３ｂ、前記凸駒３１の係合段部３３ａにそれぞれ係合させることにより前記凸駒３１、３１Ａと前記凹駒３２とを連結固定することを特徴とする。以下、図面に基づいて詳述する。
【００４９】
図１１に示すように、本実施形態におけるバンドの連結構造は、一方の凸駒３１の凸部３１ｂと、凹駒３２の凹部３２ａとをスライド係合させた後、前記凹駒３２の凹部３２ｂから前記貫通孔３６にバネ棒３５を挿入する。この時、前記バネ棒の３５の一端３５ａは、一方の凸駒３１の係合段部３３ｂに係合される。次に、前記凹駒３２の凹部３２ｂに他方凸駒３１Ａの凸部３１ａをスライド係合させ前記バネ棒３５の他端３５ｂを他方の凸駒３１Ａの係合段部３３ａに係合固定する。これによって、凹駒３２と凸駒３１、３１Ａが連結固定される。同様に複数の凸駒と凹駒とが連結され一連のバンドが構成される。
【００５０】
図１２は連結された状態のバンドの一部を示す図で、図１２（ａ）はバンドの斜視図、図１２（ｂ）は、図１２（ａ）におけるＦ−Ｆ断面図である。図１２に示すように前記凸駒の係合段部３３ａ、３３ｂは、凹駒３２とスライド係合された状態において凹駒の貫通孔３６に対応する位置に設けられている。又、前記凹駒３２の貫通孔３６に挿入されているバネ棒３５の内部には、バネ（図示せず）が配置されており、前記バネ棒３５の両端３５ａ、３５ｂは、出入りが自由で且つ常に外側に向かって付勢されている。このため前記バネ棒３５の両端３５ａ、３５ｂが前記凸駒３１の係合段部３３ｂと前記３１Ａの係合段部３３ａに、それぞれ係合される。この結果、前記凸駒３１、３１Ａと凹駒３２のスライドが固定されることになる。
【００５１】
又、前記凹駒３２の裏面３２ｃには、凹部３２ｂ及び貫通孔３６に連通する切欠部３４が設けられ、この切欠部３４よりバネ棒３５を操作することにより前記凸駒３１と前記凹駒３２とのスライド係合の解除をできるようになっている。例えば、前記凹駒３２の切欠部３４に細い丸棒状の工具を差し込み前記バネ棒３５の一端３５ｂを押圧しながら前記凸駒３１Ａをスライドさせることにより、前記凹駒３２と凸駒３１Ａとの係合、或いは、係合解除が出来る用になっている。
【００５２】
次に、各構成要素について簡単に説明する。図１３は凹駒を示し、図１３（ａ）は凹駒の平面図、図１３（ｂ）は側面図、図１３（ｃ）正面図である。図１３に示すように、凹駒３２は金属からなりバンド長手方向の両端に円筒状の凹部３２ａ、３２ｂが形成されている。又、前記凹駒３２のバンド長手方向に前記凹部３２ａ、３２ｂと連通する貫通孔３６が設けられている。この貫通孔３６はバネ棒３５を挿入出来るように内径寸法が設定されている。又、裏面３２ｃには、凹部３２ｂ及び貫通孔３６に連通する切欠部３４が設けられ、この各部の寸法は、所定の工具を用いてバネ棒３５を操作し、前記凸駒３１と前記凹駒３２とのスライド係合、或いは解除が出来るように各部の寸法が設定されている。
【００５３】
図１４は前記凸駒を示す図で、図１４（ａ）は凸駒の斜視図、図１４（ｂ）は、平面図である。図１４に示すように、凸駒３１は金属からなりバンド長手方向の両端に円柱状の凸部３１ａ、３１ｂが形成されている。又、前記凸駒３１にはバンド長手方向の両端に前記バネ棒３５の一端を係合固定し、凹駒３２との連結固定するための係合段部３３ａ、３３ｂを設けられている。この係合段部３３ａ、３３ｂの大きさは、前記バネ棒３５の一端３５ａ、３５ｂが係合出来るようにバネ棒の一端３５ａ、３５ｂの外径より僅かに大きく設定されている。尚、バネ棒３５については、バンドとケースの係合に一般的に使用されているものと構造が同様であり、説明は省略する。
【００５４】
次に凹駒と凸駒の係合方法を図１５、図１６を用いて説明する。図１５、図１６は凹駒と凸駒の係合方法を示す斜視図である。図１５（ａ）に示すように一方の凹駒３２に係合されている一方の凸駒３１の突部３１ｂに他方の凹駒３２Ａの凹部３２ａを矢印の方向にスライド係合する。次に図１５（ｂ）に示すように凹駒３２Ａの貫通孔３６にバネ棒３５を挿入する。次に図１６に示すように、前記バネ棒３５の一端３５ｂを所定の工具５０を用いて前記貫通孔３６の奥（矢印Ａの方向）に押し込みながら前記凹駒３２Ａの凹部３２ｂに他方の凸駒３１Ａの突部３１ａを矢印Ｂの方向にスライド係合させ、その後、前記バネ棒３５の一端３５ｂから前記工具５０を放すことにより、前記凸駒３１Ａの係合段部３３ａに前記バネ棒の一端３５ｂを係合固定する。この時、図示していないが、前記一方の凸駒３１の係合段部３３ｂに前記バネ棒３５の他端３５ａが係合固定される。これによって凸駒と凹駒が連結固定される。
【００５５】
次に係合を解除する方法について説明する。図１６に示す前記凹駒３２Ａの切欠部３４から前記工具５０の先端を差し込み、前記バネ棒の一端３５ｂを前記貫通孔３６の奥に押し込みながら、前記凸駒３１Ａの係合段部３３ａとバネ棒の一端３５ａの係合を解除し、前記凸駒３１Ａをスライドさせ前記凹駒３２Ａの凹部３２ｂから抜き取ることにより、凸駒３１Ａと凹駒３２Ａとの係合を解除することができる。
【００５６】
以上のように、本実施形態におけるバンドによれば、所定の工具５０を用いて前記バネ棒３５を操作することで凹駒３２と凸駒３１とを係合、或いは係合解除することが出来る。又、本実施形態によれば、既存のバネ棒３５を使用し、このバネ棒を配置する凹駒３２の孔も貫通孔で良く加工が簡単で低コストのバンドの連結構造を実現出来る。この結果、外観品質が良好で、バンド組立作業性に優れ、且つ、凸駒に凹駒を碓実に連結固定することのできるバンドを提供することが出来る。
【００５７】
（第５の実施の形態）
以下、本発明の第５の実施形態を図１７、図１８に基づいて説明する。図１７は、第５の実施形態におけるバンドとケースの連結構造を示す分解斜視図である。本実施形態におけるバンドとケースの連結構造は、第４の実施形態におけるバンドの先カン凹駒４２をケース３０の側壁に形成されたカン足３７にスライド係合させたものであり、基本的構造は、第４実施形態に類似している。以下図面に基づいて説明する。図１７に示すように、バンド短手方向に円柱状の凸部３７ａを有するカン足３７に、バンド長手方向にバネ棒３５の一端３５ａを係合固定し、前記カン足３７とバンドの先カン凹駒４２との連結固定するための係合段部３８を設け、前記バンドの先カン凹駒４２の凹部４２ａからバンド長手方向に形成された貫通孔３６に前記バネ棒３５を挿入し、前記カン足３７に前記先カン凹駒４２をスライド係合させ前記バネ棒３５の一端３５ａを前記係合段部３８に係合させたことを特徴とする。又、前記先カン凹駒４２の裏面に、凹部４２ａ及び貫通孔３６に連通する切欠部３４が設けられ、この切欠部３４よりバネ棒３５を操作することにより前記カン足３７と前記バンドの先カン凹駒４２とのスライド係合の解除をできるようにしたことを特徴とする。
【００５８】
本実施形態における前記先カン凹駒４２は第４の実施形態における凹駒と同様であり、説明は省略する。又、ケースの３０の側壁に設けるカン足３７は、凸部３７ａを有し、この凸部３７ａのバンド長手方向に係合段部３８が設けられている。この係合段部３８は、第４の実施形態で説明した凸駒の係合段部とその形状、作用が同様であり説明は省略する。
【００５９】
本実施形態におけるバンドとケースの取り付け方法は、第４実施形態における凹駒と凸駒の係合方法と類似している。以下、簡単に説明する。まず、バンドの先カン凹駒４２の貫通孔３６にバネ棒３５を挿入する。次にバネ棒３５の一端３５ａを所定の工具で、貫通孔３６の奥に押し込み、前記先カン凹駒４２の凹部４２ａとケース３０におけるカン足３７に設ける凸部３７ａとをスライド係合させ、前記バネ棒の一端３５ａを前記カン足の凸部３７ａに設ける係合段部３８に係合固定する。この時、前記バネ棒の３５の他端は前記先カン凹駒に契合されているバンドの凸駒３１の係合段部に係合固定される。これによって先カン凹駒４２と前記ケースのカン足３７とを連結固定する。
又、係合解除については、第４の実施形態と同様に前記先カン凹駒４２の切欠部３４に所定の工具を差し込み前記バネ棒３５を操作することで係合を解除することが出来る。
【００６０】
尚、本実施形態の他の例を図１８に示す。本例のバンドとケースの連結構造は、第４の実施形態におけるバンドの先カン凸駒４１をケース４０の側壁に形成されたカン足４６にスライド係合させたものである。前記カン足４６には、円筒状の凹部４６ａが設けられ、更に、第４の実施形態におけるバンドの凹駒３２の貫通孔３６に相当するめくら孔４７が設けられている。前記めくら孔４７に挿入されたバネ棒３５の一端３５ａを前記先カン凸駒４１の係合段部３３ａに係合固定することでバンドとケースを連結する構造となっている。又、前記先カン凸駒４１は、第４の実施形態における凸駒３１と同様であるため説明を省略する。又、前記カン足４６には、前記凹部４６ａ及び前記めくら孔４７に連通する切欠部４８が設けられており、この切欠部４８から前記バネ棒３５を操作し、凸駒３１からなるバンドの先カンとケースのカン足４６との係合、或いは係合解除が出来るように構成されている。
【００６１】
以上のように、本実施形態におけるバンドとケースの連結構造よれば、ケースのカン足とバンドの先カンとを簡単に且つ、碓実に係合固定することができる。又、係合の解除も第４の実施形態と同様簡単に出来る。この結果、外観品質が良好で、ケースとバンドの取付作業性に優れ、且つ、ケースとバンドとを碓実に連結固定することのできるバンドとケースの連結構造を提供することが出来る。
【００６２】
（第６の実施の形態）
以下、本発明の第６の実施形態を図１９から図２６を用いて説明する。図１９は、第６の実施形態におけるバンドの連結構造を示す分解斜視図、図２０は連結された状態のバンドの一部を示す斜視図、図２１は連結された状態のバンドの一部を示す平面図である。本実施形態におけるバンドはバネ棒を使用する連結構造であり基本的には第４実施形態と類似しているが、２個の外凸駒と凹駒とを２個のバネ棒を使用して係合固定する点が異なっており、係合構造の機能、作用は第４実施形態と類似している。
【００６３】
図１９に示すように本実施形態におけるバンドは、両端が円柱状の凸部６６ａ、６６ｂからなる凸駒６６の端部に外駒６１を形成した外凸駒７１と、両端が円筒状の凹部６３ａ、６３ｂからなる凹駒６３と、バネ棒３５とを複数個使用する。又、前記外凸駒７１にはバンド長手方向にバネ棒３５の一端を係合固定し、前記外凸駒７１と前記凹駒６３との連結固定するための係合段部６８ａ、６８ｂが設けられており、前記凹駒６３には凹部６３ａからバンド長手方向に２個の貫通孔７０ａ、７０ｂが形成されている。
【００６４】
又、バンドの連結は、一方の凹駒６３の貫通孔７０ａ、７０ｂに前記バネ棒３５、３５Ａをそれぞれ挿入し、前記凹駒６３に他方の凹駒６３Ａを隣接配置し、前記凹駒６３、６３Ａの両端より外凸駒７１、７１Ａの凸部６６ａを前記凹駒６３の凹部６３ｂに、凸部６６ｂを前記凹駒６３Ａの凹部６３ａにそれぞれスライド係合させ、前記バネ棒３５、３５Ａの一端３５ａを他方の外凸駒７２、７２Ａの係合段部６８ｂにそれぞれ係合固定し、前記バネ棒３５、３５Ａの他端３５ｂを前記外凸駒７１、７１Ａの係合段部６８ａにそれぞれ係合固定することを特徴とする。これによって、凹駒６３、６３Ａ、外凸駒７１、７１Ａが連結固定される。同様に複数の凸駒と凹駒とが連結され一連のバンドが構成される。連結された状態のバンドの斜視図を図２０に示す。
【００６５】
図２１に示すように外凸駒７１、７２の係合段部６８ａ、６８ｂは、凹駒６３とスライド係合された状態において凹駒６３の一方の貫通孔７０ａに対応する位置に設けられていて、前記貫通孔７０ａに挿入されている前記バネ棒３５の両端３５ａ、３５ｂが前記外凸駒７２の係合段部６８ｂ、前記外凸駒７１の係合段部６８ａとに、それぞれ係合される。この結果、前記外凸駒７１、７２と凹駒６３のスライドが固定されることになる。又、外凸駒７１Ａ、７２Ａについても同様に凹駒６３の他方の貫通孔７０ｂに挿入されているバネ棒３５によって凹駒６３のスライドが固定されることになる。尚、外凸駒７１、７１Ａの凸駒６６の長さＬは前記凹駒６３の長さＭ（バンド短手方向の寸法値）の１／２より短い値に設定され、前記外凸駒７１、７１Ａを前記凹駒６３の両端からスライド係合された状態において外凸駒７１、７１Ａの先端が互いに接触しないようになっている。
【００６６】
又、前記凹駒６３の裏面６３ｃには、凹部６３ｂと貫通孔７０ａ、７０ｂとにそれぞれ連通する切欠部６４ａ、６４ｂが設けられ、この切欠部６４ａ、６４ｂよりバネ棒３５を操作することにより前記外凸駒７１、７１Ａと前記凹駒６３とのスライド係合の解除が出来るようになっている。
【００６７】
次に、各構成要素について図２２から図２４を用いて簡単に説明する。図２２は凹駒６３を示し、図２２（ａ）は凹駒６３の平面図、図２２（ｂ）は側面図、図２２（ｃ）正面図である。図２２に示すように、凹駒６３は金属からなりバンド長手方向の両端に円筒状の凹部６３ａ、６３ｂが形成されている。又、前記凹駒６３のバンド長手方向に前記凹部６３ａ、６３ｂと連通する２個の貫通孔７０ａ、７０ｂが設けられている。又、裏面６３ｃには、凹部６３ｂ及び貫通孔７０ａ、７０ｂに連通する切欠部６４ａ、６４ｂが設けられている。尚、その他の詳細は第４の実施形態の凹駒と同様であり説明を省略する。
【００６８】
図２３、図２４は外凸駒７１を示す図で、図２３（ａ）は外凸駒７１の斜視図、図２３（ｂ）は、図２３（ａ）のＧ−Ｇ断面図である。又図２４は、外凸駒７１の分解斜視図である。図２３に示すように、外凸駒７１は金属からなり凸駒６６とその端部に形成した外駒６１とからなる。前記凸駒６６のバンド長手方向の両端に円柱状の凸部６６ａ、６６ｂが形成されている。又、前記凸駒６６の凸部６６ａ、６６ｂのバンド長手方向の両端に前記バネ棒３５の一端を係合固定し、前記凹駒６３との連結固定するための係合段部６８ａ、６８ｂが設けられている。この係合段部６８ａ、６８ｂについては、第４実施形態の凸駒の係合段部と同様であり説明を省略する。
【００６９】
又、図２３（ｂ）、図２４に示すように前記外駒６１は、その一方の端面に設ける２個のめくら孔６１ａ、６１ｂにピン６２ａ、６２ｂがそれぞれ圧入固定されている。一方前記凸駒６６における前記外駒６１との接合面に２個のめくら孔６６ｃ、６６ｄが設けられている。この凸駒６６のめくら孔６６ｃ、６６ｄに前記外駒６１に固定されているピン６２ａ、６２ｂをそれぞれ圧入することにより、前記外駒６１と凸駒６６とが固定され外凸駒７１が得られる。
【００７０】
次に凹駒と外凸駒の係合方法を図２５、図２６、図２７を用いて説明する。図２５、図２６、図２７は凹駒と外凸駒の係合方法を示す斜視図である。図２５に示すように一方の凹駒６３の貫通孔７０ａ、７０ｂに前記バネ棒３５、３５Ａをそれぞれ挿入する。次に図２６に示すように他方の凹駒６３Ａを前記凹駒６３に隣接するように配置し、次に前記凹駒６３の切欠部６４ａから一方のバネ棒３５の一端３５ｂを所定の工具５０を用いて貫通孔７０ａの奥（矢印Ａの方向）に押し込み、前記凹駒６３、６３Ａのバンド短手方向の一端より外凸駒７１の凸部６６ａ、６６ｂを前記凹駒６３の凹部６３ｂ、前記凹駒６３Ａの凹部６３ａにそれぞれ矢印Ｂの方向にスライド係合させる。
【００７１】
同様にして図２７に示すように前記凹駒６３の切欠部６４ｂから他方のバネ棒３５Ａの一端３５ｂを所定の工具５０を用いて前記貫通孔７０ｂの奥に押し込み、前記凹駒６３、６３Ａのバンド短手方向の他端より他方の外凸駒７１Ａの凸部６６ａ、６６ｂを前記凹駒６３の凹部６３ｂ、前記凹駒６３Ａの凹部６３ａにそれぞれスライド係合させる。その後、前記他方のバネ棒３５Ａの一端３５ｂから工具５０を放すことにより前記バネ棒３５、３５Ａのそれぞれの両端３５ａ、３５ｂが前記外凸駒７２、７２Ａの係合段部６８ｂ、前記外凸駒７１、７１Ａの係合段部６８ａと係合固定され前記外凸駒７１、７１Ａと凹駒６３、６３Ａとが連結固定される。
【００７２】
又、前記外凸駒と凹駒との係合を解除する場合は、前記凹駒６３の切欠部６４ａから前記工具５０の先端を差し込み、前記バネ棒３５の一端３５ｂを前記貫通孔７０ａの奥に押し込み前記外凸駒７１の係合段部６８ａとバネ棒の一端３５ｂの係合を解除し、前記凸駒３１Ａをスライドさせ前記凹駒３２Ａの凹部３２ｂから抜き取ることにより、外凸駒７１と凹駒６３との係合を解除することができる。同様にして外凸駒７１Ａと凹駒６３との係合を解除することができる。
【００７３】
以上のように、本実施形態におけるバンドによれば、第４実施形態と同様に加工が簡単で低コストのバンドの連結構造を実現出来る。この結果、外観品質が良好で、バンド組立作業性に優れ、且つ、凸駒に凹駒を碓実に連結固定することのできるバンドを提供することが出来る。
【００７４】
更に、第４、第５の実施形態と同様に、第６の実施形態におけるバンドの先カン外凸駒をケースの側壁に形成されたカン足にスライド係合させてなるバンドとケースの連結構造を得ることが出来る。前記カン足には、円筒状の凹部が設けられ、更に、第６の実施形態におけるバンドの凹駒の貫通孔に相当するめくら孔が２個設けられている。この２個のめくら孔に挿入されたバネ棒の一端を前記先カン外凸駒の係合段部に係合固定することでバンドとケースを連結する構造となっている。又、前記先カン外凸駒は、第６の実施形態における外凸駒と同様であるため説明を省略する。又、前記カン足には、前記凹部及び前記めくら孔に連通する切欠部が設けられており、この切欠部から前記バネ棒を操作し、外凸駒からなるバンドの先カンとケースのカン足との係合、或いは係合解除が出来るように構成されている。
【００７５】
尚、第４、第５、第６の実施形態においてはバネ棒の両端が内蔵するバネによって外側に向かって付勢されている所謂両バネタイプのバネ棒を例として説明したが、バネ棒の一端だけにバネを内蔵する片バネタイプのバネ棒を使用することが出来ることは言うまでもない。
【００７６】
【発明の効果】
以上述べたように本発明によるバンドとそのバンドとケースの連結構造によれば、凸駒に凹駒を確実に連結固定することができ、機能品質を向上させることができる。更にバンドの組立作業性に優れ、量産性が向上する効果を有する。この結果、外観品質が良好で、テザイン性に優れたバンドを提供することが出来る。
【図面の簡単な説明】
【図１】本発明の第１の実施形態におけるバンドの連結構造を示す分解斜視図である。
【図２】本発明の第１の実施形態における連結された状態のバンドを示し、図２（ａ）はバンドの斜視図、図２（ｂ）は、図２（ａ）におけるＡ−Ａ断面図である。
【図３】本発明の第１の実施形態における連結された状態のバンドを示し、図３（ａ）は、バンドの平面図、図３（ｂ）は、図２（ａ）におけるＢ−Ｂ断面図である。
【図４】本発明の第１の実施形態におけるバンドを構成する凹駒を示し、図４（ａ）は、凹駒の斜視図、図４（ｂ）は、図４（ａ）におけるＣ−Ｃ断面図である。
【図５】本発明の第１の実施形態におけるバンドを構成する凸駒を示し、図５（ａ）は、凸駒の斜視図、図５（ｂ）は、図５（ａ）におけるＤ−Ｄ断面図、図５（ｃ）は、図５（ｂ）におけるＡ部の部分拡大断面図である。
【図６】本発明の第１の実施形態における係合部材を示し、図６（ａ）は、係合部材の平面図、図６（ｂ）は側面図、図６（ｃ）は正面図である。
【図７】本発明の第２の実施形態におけるバンドの連結状態を示す斜視図である。
【図８】本発明の第３の実施形態におけるバンドとケースの連結構造を説明するための斜視図である。
【図９】本発明の第３の実施形態におけるバンドとケースの連結された状態を示す図で、図９（ａ）はバンドとケースの斜視図、図９（ｂ）は、図９（ａ）におけるＥ−Ｅ断面図である。
【図１０】本発明の第３の実施形態におけるバンドとケースの連結構造の他の例を説明するための斜視図である。
【図１１】本発明の第４の実施形態におけるバンドの連結構造を示す分解斜視図である。
【図１２】本発明の第４の実施形態におけるバンドの連結状態を示し、図１２（ａ）は、バンドの斜視図、図１２（ｂ）は、図１２（ａ）におけるＦ−Ｆ断面図である。
【図１３】本発明の第４の実施形態におけるバンドを構成する凹駒を示し、図１３（ａ）は、凹駒の平面図、図１３（ｂ）は、凹駒の側面図、図１３（ｃ）は、凹駒の正面図である。
【図１４】本発明の第４の実施形態におけるバンドを構成する凸駒を示し、図１４（ａ）は、凸駒の斜視図、図１４（ｂ）は、凸駒の平面図である。
【図１５】本発明の第４の実施形態におけるバンドの組立方法を示す斜視図で、図１５（ａ）は、凹駒を凸駒にスライド係合させる状態を示し、図１５（ｂ）は、凹駒の貫通孔にバネ棒を挿入する状態を示す図である。
【図１６】本発明の第４の実施形態におけるバンドの組立方法を示す斜視図で、バネ棒の先端を押さえながら凹駒を凸駒にスライド係合させる状態を示す図である。
【図１７】本発明の第５の実施形態におけるバンドとケースの連結構造を示す斜視図である。
【図１８】本発明の第５の実施形態におけるバンドとケースの連結構造の他の例を示す斜視図である。
【図１９】本発明の第６の実施形態におけるバンドの連結構造を示す分解斜視図である。
【図２０】本発明の第６の実施形態におけるバンドの連結された状態を示す斜視図である。
【図２１】本発明の第６の実施形態におけるバンドの連結された状態を示す平面図である。
【図２２】本発明の第６の実施形態におけるバンドを構成する凹駒を示し、図２２（ａ）は、凹駒の平面図、図２２（ｂ）は、凹駒の側面図、図２２（ｃ）は、凹駒の正面図である。
【図２３】本発明の第６の実施形態におけるバンドを構成する外凸駒を示し、図２３（ａ）は、外凸駒の斜視図、図２３（ｂ）は、図２３（ａ）のＧ−Ｇ断面図である。
【図２４】本発明の第６の実施形態における外凸駒を構成する凸駒と外駒を示す斜視図である。
【図２５】本発明の第６の実施形態におけるバンドの組立方法を示す斜視図で、凹駒の貫通孔にバネ棒を挿入する状態を示す図である。
【図２６】本発明の第６の実施形態におけるバンドの組立方法を示す斜視図で、バネ棒の先端を押さえながら一方の外凸駒を凹駒にスライド係合させる状態を示す図である。
【図２７】本発明の第６の実施形態におけるバンドの組立方法を示す斜視図で、バネ棒の先端を押さえながら他方の外凸駒を凹駒にスライド係合させる状態を示す図である。
【図２８】従来技術のバンドの連結状態を示し、図２８（ａ）は、バンドの斜視図、図２８（ｂ）は、図２８（ａ）におけるＨ−Ｈ断面図である。
【図２９】従来技術における他バンドの連結状態を示す断面図である。
【符号の説明】
１  凹駒
１ａ  円筒状の凹部
２  凸駒
２ａ  円柱状の凸部
２ｂ  凸駒の穴
３  カシメ部
４  凹駒
４ａ  凹駒のネジ穴
５  ネジ
１０  ケース
１１  凸駒
１１ａ、１１ｂ  凸駒の円柱状の凸部
１２、１２Ａ  凹駒
１２ａ、１２ｂ  凹駒の円筒状の凹部
１２ｃ  凹駒の裏面
１３  係合部材
１３ａ、１３ｂ  係合部材の外壁の斜面
１４ａ、１４ｂ  凹駒の切欠部
１５  凸駒の係合凹部
１５ａ、１５ｂ  係合凹部の内壁の斜面
１６  ケースのカン足
１６ａ  カン足の円柱状の凸部
１７  カン足の係合凹部
１７ａ、１７ｂ  係合凹部の内壁の斜面
１８  先カン凹駒
１８ａ  先カン凹駒の凹部
１９  先カン凸駒
１９ａ  先カン凸駒の凸部
２０  ケース
２１  凸駒
２２，２２Ａ  凹駒
２３  係合部材
２３ａ  係合部材の表面
２４ａ、２４ｂ  切欠部
２６  ケースのカン足
２６ａ  カン足の円筒状の凹部
２７  カン足の切欠部
３０  ケース
３１  凸駒
３１ａ、３１ｂ  凸駒の円柱状の凸部
３２、３２Ａ  凹駒
３２ａ、３２ｂ  凹駒の円筒状の凹部
３３ａ、３３ｂ  凸駒の係合段部
３４  凹駒の切欠部
３５、３５Ａ  バネ棒
３５ａ  バネ棒の一端
３５ｂ  バネ棒の他端
３６  凹駒の貫通孔
３７  カン足
３７ａ  カン足の円柱状の凸部
３８  カン足の係合段部
４０  ケース
４１  先カン凸駒
４１ａ  先カン凸駒の凸部
４２  先カン凹駒
４２ａ  先カン凹駒の凹部
４６  カン足
４６ａ  カン足の円筒状の凹部
４７  カン足のめくら孔
４８  カン足の切欠部
５０  工具
６１  外駒
６１ａ、６１ｂ  外駒のめくら孔
６２ａ、６２ｂ  外駒のピン
６３、６３Ａ  凹駒
６３ａ、６３ｂ  凹駒の円筒状の凹部
６４ａ、６４ｂ  凹駒の切欠部
６６  凸駒
６６ａ、６６ｂ  凸駒の円柱状の凸部
６６ｃ、６６ｄ  凸駒のめくら孔
６８ａ、６８ａ６８ｂ  凸駒の係合段部
７０ａ、７０ｂ  凹駒の貫通孔
７１、７１Ａ、７２、７２Ａ  外凸駒
【図１】
0004165799.tif 000002
【図２】
0004165799.tif 000003
【図３】
0004165799.tif 000004
【図４】
0004165799.tif 000005
【図５】
0004165799.tif 000006
【図６】
0004165799.tif 000007
【図７】
0004165799.tif 000008
【図８】
0004165799.tif 000009
【図９】
0004165799.tif 000010
【図１０】
0004165799.tif 000011
【図１１】
0004165799.tif 000012
【図１２】
0004165799.tif 000013
【図１３】
0004165799.tif 000014
【図１４】
0004165799.tif 000015
【図１５】
0004165799.tif 000016
【図１６】
0004165799.tif 000017
【図１７】
0004165799.tif 000018
【図１８】
0004165799.tif 000019
【図１９】
0004165799.tif 000020
【図２０】
0004165799.tif 000021
【図２１】
0004165799.tif 000022
【図２２】
0004165799.tif 000023
【図２３】
0004165799.tif 000024
【図２４】
0004165799.tif 000025
【図２５】
0004165799.tif 000026
【図２６】
0004165799.tif 000027
【図２７】
0004165799.tif 000028
【図２８】
0004165799.tif 000029
【図２９】
0004165799.tif 000030